(57)【要約】      （修正有）【課題】ファスナーによって区画された収容部本体をスリム化して視覚性が向上するとともに、操作性が向上した使い勝手の良い鞄を提供する。【解決手段】スーツケースは、第１収容部３０ａと第２収容部３０ｂとが区画ファスナーによって開閉自在に連通して区画されている。区画ファスナーを開いて互いに噛み合う一対の務歯４０ａ１、４０ａ２、４０ｂの噛み合いを解除すると、マチファスナー５０ａとそれに取り付けられた蛇腹状のマチ部５０ｂとが現れ、マチ部５０ｂの拡張が可能となる。マチファスナーにはスライダー５０ｃが取り付けられており、スライダーを操作して互いに噛み合う一対の務歯の噛み合いを解除すると、収容部本体が現れて被収容物の出し入れが可能となる。【選択図】図２
0003225059.tif 000002
【実用新案登録請求の範囲】
【請求項１】
マチアップ機能を有し、第１収容部及び第２収容部を区画する区画ファスナーによって開閉自在な鞄であって、
前記マチアップ機能は、蛇腹状のマチ部と前記マチ部のマチ幅を伸縮可能にするマチファスナーとが、前記区画ファスナーによって開閉される内部に設けられていることを特徴とする鞄。
【請求項２】
前記マチファスナーの開閉により前記第１収容部及び前記第２収容部の被収容物の出し入れを可能にすることを特徴とする請求項１記載の鞄。
【考案の詳細な説明】
【技術分野】
【０００１】
本考案は、マチアップ機能（エキスパンダブル機能）を有し、マチファスナーを内在した鞄に関する。
【背景技術】
【０００２】
バッグ、キャリーバッグ、スーツケース等の鞄には、収容部の幅を伸縮可能にするマチ部が設けられ、蛇腹状（アコーディオン状）に折り畳まれたマチ部が拡張することで、収納容量を自在に変えることができる。
【０００３】
例えば、図３に示す従来の鞄は、収容部本体３０（第１収容部３０ａ，第２収容部３０ｂ）の周縁略中央に区画ファスナー４０とマチファスナー５０とが離間して配設されている。収容部本体３０は、第１収容部３０ａと第２収容部３０ｂとが区画ファスナー４０によって開閉自在に区画され、区画ファスナー４０の隣には離間してマチファスナー５０が設けられ、マチファアスナー５０の開閉によってマチ部のマチ幅を伸縮可能にしている。
【考案の概要】
【考案が解決しようとする課題】
【０００４】
しかしながら、従来の鞄は、区画ファスナー４０とは別にマチファスナー５０が外部に露出してファスナー２個分の幅を必要とするため、幅広である。マチアップ機能を活用しない場合でも、ファスナー２個分の幅は構造上不可避であるため、幅広になることは避けられない。
【０００５】
また、ファイスナーが２個あることで、使用者はどちらのファスナーを開閉すればいいのか間違うことがあり、所望するファスナーを開閉するのに無駄骨を折ることがある。
【０００６】
そこで、本考案は、ファスナーによって区画された収容部本体をスリム化して視覚性が向上するとともに、操作性が向上した使い勝手の良い鞄を提供する。
【課題を解決するための手段】
【０００７】
本考案は、上記課題を解決するために、以下のものを提供する。
【０００８】
（１）マチアップ機能を有し、第１収容部及び第２収容部を区画する区画ファスナーによって開閉自在な鞄であって、前記マチアップ機能は、蛇腹状のマチ部と前記マチ部のマチ幅を伸縮可能にするマチファスナーとが、前記区画ファスナーによって開閉される内部に設けられていることを特徴とする鞄。
（２）前記マチファスナーの開閉により前記第１収容部及び前記第２収容部の被収容物の出し入れを可能にすることを特徴とする鞄。
【考案の効果】
【０００９】
上記（１）の本考案によれば、マチ部とマチファスナーとが区画ファスナーによって開閉される内部に設けられていることから、従来は外部に露呈していたマチファスナーを内部に収容し、マチファスナーの配設分のスペースを内部に設けたことで、収容部本体をスリム化することができる。これにより、従来よりも幅狭の鞄を提供することができ、視覚性が向上する。また、区画ファスナーとマチファスナーとが並列に配設されることなく、ファスナーを間違って操作することがないので、使用者の操作性が向上する。
【００１０】
上記（２）の本考案によれば、被収容物の出し入れはマチファスナーの開閉によること、すなわち外部の区画ファスナー及び内部のマチファスナーの開閉によることから、ファスナーの操作に戸惑うことがないので、使用者の操作性が向上する。また、区画ファスナーで区画された周縁部とその内側のマチファスナーで区画された周縁部とによる二重構造を呈していることから、周縁部の布を破られにくく安心感につながる。
さらに、区画ファスナーとマチファスナーによって二重に閉じられていることから、一方のファスナーが破損した場合であっても、荷物が飛び出ることがない。
【図面の簡単な説明】
【００１１】
【図１】スーツケースの外観斜視図。
【図２】スーツケースのマチ機能を示す図。
【図３】従来のスーツケースの外観斜視図。
【考案を実施するための形態】
【００１２】
以下、本発明の実施の形態について図面に基づいて説明する。なお、以下はスーツケースの例に基づいて説明するが、本発明はこれに限らず、バッグ、キャリーバックなどの鞄であれば何れにも適用可能である。
【００１３】
図１は、スーツケース１の外観斜視図であり、伸縮自在な取手部１０とキャスター２０とが収容部本体３０から露出して取り付けられている。収容部本体３０は、第１収容部３０ａと第２収容部３０ｂとが区画ファスナー４０によって開閉自在に連通して区画されている。取手部１０は、一対の筒状のロッド１０ａ，１０ｂと、ロッド１０ａ，１０ｂ内にスライド自在に挿通される軸部１０ｃ，１０ｄと、一対の軸部１０ｃ，１０ｄの両上端を結ぶように設けられた把持部１０ｅとから構成されている。取手部１０を使用する場合、把持部１０ｅを持ち、スーツケース１の上方向に引き上げ、ロッド１０ａ，１０ｂから軸部１０ｃ，１０ｄを引き上げる。これにより、持ち手の部分が長くなり、使用者は取手部１０を持ち、キャスター２０の回転によってスーツケース１を引きながら持ち歩くことができる。
【００１４】
図２は、スーツケース１の内部を示しており、マチ機能５０を概略的に示している。区画ファスナー４０を開いて互いに噛み合う一対の務歯４０ａ，４０ｂの噛み合いを解除すると、内部に配設されているマチファスナー５０ａとそれに取り付けられた蛇腹状のマチ部５０ｂとが現れ、マチ部５０ｂの拡張が可能となる。マチファスナー５０ａにはスライダー５０ｃが取り付けられており、スライダー５０ｃを操作して互いに噛み合う一対の務歯の噛み合いを解除すると、収容部本体３０が開口されて被収容物の出し入れが可能となる。
【００１５】
一対の務歯４０ａ，４０ｂは各々に取り付けられた布体４０ｂの一方の端部に位置し、布体４０ｂの下方にマチ部５０ｂが取り付けられている。なお、布体４０ｂとマチ部５０ｂとは他方の端部において重畳して固定されている。
【産業上の利用可能性】
【００１６】
本考案に係る鞄は、マチ機能を有する鞄の小型化を実現し、視覚性及び操作性に富むものとして産業上有用である。
【符号の説明】
【００１７】
１    スーツケース
１０    取手部
２０  キャスター
３０  収容部本体
４０  区画ファスナー
５０  マチ機能（５０ａ：マチファスナー、５０ｂ：マチ部）
【図１】
0003225059.tif 000003
【図２】
0003225059.tif 000004
【図３】
0003225059.tif 000005